【手続補正書】
【提出日】平成30年2月16日(2018.2.16)
【手続補正１】
【補正対象書類名】明細書
【補正対象項目名】発明の名称
【補正方法】変更
【補正の内容】
【発明の名称】プログラム、通信端末の制御方法、及び通信端末
【手続補正２】
【補正対象書類名】明細書
【補正対象項目名】０００１
【補正方法】変更
【補正の内容】
【０００１】
本発明は、プログラム、通信端末の制御方法、及び通信端末に関する。
【手続補正３】
【補正対象書類名】明細書
【補正対象項目名】０００６
【補正方法】変更
【補正の内容】
【０００６】
本発明の目的は、通信設定を容易に行うことができるプログラム、通信端末の制御方法、及び通信端末を提供することにある。
【手続補正４】
【補正対象書類名】明細書
【補正対象項目名】０００７
【補正方法】変更
【補正の内容】
【０００７】
上記目的を達成するために、本発明のプログラムは、操作部を備える通信端末のコンピュータに、ＢＬＥ（Bluetooth Low Energy）に準拠する無線通信を行うために伝送されるアドバタイジングパケットを受信する受信制御工程と、前記受信したアドバタイジングパケットに基づいて接続先の候補となるデバイスを示す情報を含む画面を前記操作部に表示する表示制御工程と、前記受信したアドバタイジングパケットを伝送した電波の強度に基づいて接続先のデバイスを選択する第１の選択工程と、前記操作部に表示された前記画面を介した選択操作を受け付けたことに基づいて前記接続先の候補の中から前記接続先のデバイスを選択する第２の選択工程と、前記通信端末がデバイスに近付いたことを条件とするデータ送信を行うか否かをユーザ操作に基づいて設定する設定工程と、前記設定工程で前記通信端末が前記デバイスに近付いたことを条件とするデータ送信を行うことが設定され且つ前記受信制御工程で受信したアドバタイジングパケットを伝送した電波の強度が所定の条件を満たす場合に、当該所定の条件を満たすアドバタイジングパケットを送出したデバイスにデータを送信するように制御し、前記第２の選択工程で前記接続先のデバイスが選択された場合に、当該選択されたデバイスに前記データを送信するように制御する送信制御工程とを実行させることを特徴とする。
【手続補正５】
【補正対象書類名】特許請求の範囲
【補正対象項目名】全文
【補正方法】変更
【補正の内容】
【特許請求の範囲】
【請求項１】
操作部を備える通信端末のコンピュータに、
ＢＬＥ（Bluetooth Low Energy）に準拠する無線通信を行うために伝送されるアドバタイジングパケットを受信する受信制御工程と、
前記受信したアドバタイジングパケットに基づいて接続先の候補となるデバイスを示す情報を含む画面を前記操作部に表示する表示制御工程と、
前記受信したアドバタイジングパケットを伝送した電波の強度に基づいて接続先のデバイスを選択する第１の選択工程と、
前記操作部に表示された前記画面を介した選択操作を受け付けたことに基づいて前記接続先の候補の中から前記接続先のデバイスを選択する第２の選択工程と、
前記通信端末がデバイスに近付いたことを条件とするデータ送信を行うか否かをユーザ操作に基づいて設定する設定工程と、
前記設定工程で前記通信端末が前記デバイスに近付いたことを条件とするデータ送信を行うことが設定され且つ前記受信制御工程で受信したアドバタイジングパケットを伝送した電波の強度が所定の条件を満たす場合に、当該所定の条件を満たすアドバタイジングパケットを送出したデバイスにデータを送信するように制御し、前記第２の選択工程で前記接続先のデバイスが選択された場合に、当該選択されたデバイスに前記データを送信するように制御する送信制御工程とを実行させることを特徴とするプログラム。
【請求項２】
通信端末のコンピュータに、
ＢＬＥに準拠する無線通信を行うために伝送されるアドバタイジングパケットを受信する受信制御工程と、
前記通信端末がデバイスに近付いたことを条件とするデータ送信を行うか否かをユーザ操作に基づいて設定する設定工程と、
前記設定工程で前記通信端末が前記デバイスに近付いたことを条件とするデータ送信を行うことが設定され且つ前記受信制御工程で受信したアドバタイジングパケットを伝送した電波の強度が所定の条件を満たす場合に、当該所定の条件を満たすアドバタイジングパケットを送出したデバイスにデータを送信するように制御し、前記設定工程で前記通信端末が前記デバイスに近付いたことを条件とするデータ送信を行わないことが設定され且つ複数のデバイスの中から１つのデバイスを選択する選択指示を受け付けた場合に、当該選択指示により選択されたデバイスに前記データを送信するように制御する送信制御工程とを実行させることを特徴とするプログラム。
【請求項３】
前記アドバタイジングパケットを送出するデバイスは画像処理装置であり、
前記送信制御工程では、印刷データが送信されることを特徴とする請求項１又は２に記載のプログラム。
【請求項４】
前記アドバタイジングパケットを送出するデバイスは画像処理装置であり、
前記送信制御工程では、スキャン処理を実行させるデータが送信されることを特徴とする請求項１又は２に記載のプログラム。
【請求項５】
前記電波の強度が前記所定の条件を満たすか否かを判定する判定工程を、前記コンピュータに更に実行させることを特徴とする請求項１乃至４のいずれか１項に記載のプログラム。
【請求項６】
前記判定工程は、前記アドバタイジングパケットを伝送した電波の受信強度に基づいて当該アドバタイジングパケットを送出するデバイスと前記通信端末との間の近接度合を判定し、当該近接度合が予め設定された所定の近接度合よりも近い場合に、前記電波の強度が前記所定の条件を満たすと判定することを特徴とする請求項５に記載のプログラム。
【請求項７】
前記送信制御工程では、Ｗｉ−Ｆｉに準拠する無線通信を使用して前記データが送信されることを特徴とする請求項１乃至６のいずれか１項に記載のプログラム。
【請求項８】
前記Ｗｉ−Ｆｉに準拠する無線通信に関する設定情報を、前記ＢＬＥに準拠する無線通信を介して取得する取得工程を前記コンピュータに更に実行させ、
前記送信制御工程では、前記設定情報を用いて、前記設定情報を送信したデバイスとの間で前記Ｗｉ−Ｆｉに準拠する無線通信が行われることを特徴とする請求項７に記載のプログラム。
【請求項９】
操作部を備える通信端末の制御方法であって、
ＢＬＥに準拠する無線通信を行うために伝送されるアドバタイジングパケットを受信する受信ステップと、
前記受信したアドバタイジングパケットに基づいて接続先の候補となるデバイスを示す情報を含む画面を前記操作部に表示する表示制御ステップと、
前記受信したアドバタイジングパケットを伝送した電波の強度に基づいて接続先のデバイスを選択する第１の選択ステップと、
前記操作部に表示された前記画面を介した選択操作を受け付けたことに基づいて前記接続先の候補の中から前記接続先のデバイスを選択する第２の選択ステップと、
前記通信端末がデバイスに近付いたことを条件とするデータ送信を行うか否かをユーザ操作に基づいて設定する設定ステップと、
前記設定ステップで前記通信端末が前記デバイスに近付いたことを条件とするデータ送信を行うことが設定され且つ前記受信ステップで受信したアドバタイジングパケットを伝送した電波の強度が所定の条件を満たす場合に、当該所定の条件を満たすアドバタイジングパケットを送出したデバイスにデータを送信するように制御し、前記第２の選択ステップで前記接続先のデバイスが選択された場合に、当該選択されたデバイスに前記データを送信するように制御する送信制御ステップとを有することを特徴とする通信端末の制御方法。
【請求項１０】
通信端末の制御方法であって、
ＢＬＥに準拠する無線通信を行うために伝送されるアドバタイジングパケットを受信する受信ステップと、
前記通信端末がデバイスに近付いたことを条件とするデータ送信を行うか否かをユーザ操作に基づいて設定する設定ステップと、
前記設定ステップで前記通信端末が前記デバイスに近付いたことを条件とするデータ送信を行うことが設定され且つ前記受信ステップで受信したアドバタイジングパケットを伝送した電波の強度が所定の条件を満たす場合に、当該所定の条件を満たすアドバタイジングパケットを送出したデバイスにデータを送信するように制御し、前記設定ステップで前記通信端末が前記デバイスに近付いたことを条件とするデータ送信を行わないことが設定され且つ複数のデバイスの中から１つのデバイスを選択する選択指示を受け付けた場合に、当該選択指示により選択されたデバイスに前記データを送信するように制御する送信制御ステップとを有することを特徴とする通信端末の制御方法。
【請求項１１】
前記アドバタイジングパケットを送出するデバイスは画像処理装置であり、
前記送信制御ステップでは、印刷データが送信されることを特徴とする請求項９又は１０に記載の通信端末の制御方法。
【請求項１２】
前記アドバタイジングパケットを送出するデバイスは画像処理装置であり、
前記送信制御ステップでは、スキャン処理を実行させるデータが送信されることを特徴とする請求項９又は１０に記載の通信端末の制御方法。
【請求項１３】
前記電波の強度が前記所定の条件を満たすか否かを判定する判定ステップを更に有することを特徴とする請求項９乃至１２のいずれか１項に記載の通信端末の制御方法。
【請求項１４】
前記判定ステップは、前記アドバタイジングパケットを伝送した電波の受信強度に基づいて当該アドバタイジングパケットを送出するデバイスと前記通信端末との間の近接度合を判定し、当該近接度合が予め設定された所定の近接度合よりも近い場合に、前記電波の強度が前記所定の条件を満たすと判定することを特徴とする請求項１３に記載の通信端末の制御方法。
【請求項１５】
前記送信制御ステップでは、Ｗｉ−Ｆｉに準拠する無線通信を使用して前記データが送信されることを特徴とする請求項９乃至１４のいずれか１項に記載の通信端末の制御方法。
【請求項１６】
前記Ｗｉ−Ｆｉに準拠する無線通信に関する設定情報を、前記ＢＬＥに準拠する無線通信を介して取得する取得ステップを更に有し、
前記送信制御ステップでは、前記設定情報を用いて、前記設定情報を送信したデバイスとの間で前記Ｗｉ−Ｆｉに準拠する無線通信が行われることを特徴とする請求項１５に記載の通信端末の制御方法。
【請求項１７】
操作部を備える通信端末であって、
ＢＬＥに準拠する無線通信を行うために伝送されるアドバタイジングパケットを受信する受信手段と、
前記受信したアドバタイジングパケットに基づいて接続先の候補となるデバイスを示す情報を含む画面を前記操作部に表示する表示制御手段と、
前記受信したアドバタイジングパケットを伝送した電波の強度に基づいて接続先のデバイスを選択する第１の選択手段と、
前記操作部に表示された前記画面を介した選択操作を受け付けたことに基づいて前記接続先の候補の中から前記接続先のデバイスを選択する第２の選択手段と、
前記通信端末がデバイスに近付いたことを条件とするデータ送信を行うか否かをユーザ操作に基づいて設定する設定手段と、
前記設定手段によって前記通信端末が前記デバイスに近付いたことを条件とするデータ送信を行うことが設定され且つ前記受信手段によって受信したアドバタイジングパケットを伝送した電波の強度が所定の条件を満たす場合に、当該所定の条件を満たすアドバタイジングパケットを送出したデバイスにデータを送信するように制御し、前記第２の選択手段によって前記接続先のデバイスが選択された場合に、当該選択されたデバイスに前記データを送信するように制御する送信制御手段とを備えることを特徴とする通信端末。